(57)【特許請求の範囲】
【請求項１】
細長い部材を引き回し、保護するための巻付け可能な織物スリーブであって、
絡み合ったヤーンで作成される細長い壁を備え、前記細長い壁は、前記スリーブの対向する端部間で前記スリーブの中心長手軸と平行に延在する対向する内縁および外縁を有し、かつ前記内縁および前記外縁の間で延在する対向して面する内面および外面を有し、前記内縁と外側から重なり合う関係で前記外縁を前記中心長手軸の周りに巻付けると、前記内面が前記スリーブの内部空洞と境界を接し、さらに、
前記外縁に隣接して前記中心長手軸と平行に延在する細長い締結具を備え、前記締結具は、前記外面から外側に面し、外部の支持部材に取付けられるように構成され、さらに、  前記壁に一体的に取付けられた閉鎖装置を備え、前記閉鎖装置は、前記締結具に対して横切って延在し、それ自体に取付けられるように前記スリーブの前記壁の周りに周方向に延在し、前記内縁および前記外縁を重なり合う関係に維持し、前記閉鎖装置は、前記外面と少なくとも１つの前記締結具との間に取込まれる、巻付け可能な織物スリーブ。
【請求項２】
前記締結具は、フックおよびループ締結具のフック部分またはループ部分の一方であり、フック部分またはループ部分の前記一方は、前記支持部材上のフック部分またはループ部分に取付けられるように構成される、請求項１に記載の巻付け可能な織物スリーブ。
【請求項３】
前記締結具は前記対向する端部の間で連続して延在する、請求項１または２に記載の巻付け可能な織物スリーブ。
【請求項４】
前記締結具および前記閉鎖装置を前記壁の前記外面に取付ける縫い目をさらに備える、請求項１から３のいずれか１項に記載の巻付け可能な織物スリーブ。
【請求項５】
前記閉鎖装置はストリングである、請求項１から４のいずれか１項に記載の巻付け可能な織物スリーブ。
【請求項６】
前記閉鎖装置は、前記閉鎖装置が前記壁の周りに周方向に巻付けられると互いに取付けられるように構成された第１のフック部分および第１のループ部分を有するストラップである、請求項１から４のいずれか１項に記載の巻付け可能な織物スリーブ。
【請求項７】
前記閉鎖装置は、前記支持部材上のフック部分またはループ部分に取付けられるように構成された第２のフック部分または第２のループ部分を有する、請求項６に記載の巻付け可能な織物スリーブ。
【請求項８】
前記第２のフック部分または前記第２のループ部分は、前記締結具と重なり合って位置合わせされるように構成される、請求項７に記載の巻付け可能な織物スリーブ。
【請求項９】
前記閉鎖装置は、端子を有する一方端と、前記端子に固定して収容されるように構成された歯を有する他端とを有するタイラップである、請求項１から４のいずれか１項に記載の巻付け可能な織物スリーブ。
【請求項１０】
細長い部材を引き回し、保護するための巻付け可能な織物スリーブであって、
前記スリーブの対向する端部間で前記スリーブの中心長手軸と平行に延在する対向する内縁および外縁を有し、かつ前記内縁および前記外縁の間で延在する対向して面する内面および外面を有する細長い壁を備え、前記内縁と外側から重なり合う関係で前記外縁を前記中心長手軸の周りに巻付けると、前記内面が前記スリーブの内部空洞と境界を接し、さらに、
前記外面に取付けられた細長い締結具を備え、前記締結具は、前記中心長手軸と平行に延在し、前記外面から外側に面し、前記締結具は、外部の支持部材に取付けられるように構成され、さらに、
前記壁に一体的に取付けられた閉鎖装置を備え、前記閉鎖装置は、前記締結具に対して横切って延在し、それ自体に取付けられるように前記壁の周りに周方向に延在し、前記内縁および前記外縁を重なり合う関係に維持し、前記閉鎖装置は、前記外面と少なくとも１つの前記締結具との間に取込まれる、巻付け可能な織物スリーブ。
【請求項１１】
前記締結具は、フックおよびループ締結具のフック部分またはループ部分の一方である、請求項１０に記載の巻付け可能な織物スリーブ。
【請求項１２】
前記閉鎖装置は、前記閉鎖装置が前記壁の周りに周方向に巻付けられると互いに取付けられるように構成された第１のフック部分および第１のループ部分を有するストラップである、請求項１０または１１に記載の巻付け可能な織物スリーブ。
【請求項１３】
前記閉鎖装置はストリングである、請求項１０または１１に記載の巻付け可能な織物スリーブ。
【請求項１４】
前記閉鎖装置は、端子を有する一方端と、前記端子に固定して収容されるように構成された歯を有する他端とを有するタイラップである、請求項１０または１１に記載の巻付け可能な織物スリーブ。
【請求項１５】
前記締結具および前記閉鎖装置を前記壁の前記外面に取付ける縫い目をさらに備える、請求項１０から１４のいずれか１項に記載の巻付け可能な織物スリーブ。
【発明の詳細な説明】
【技術分野】
【０００１】
関連出願との相互参照
本願は、２００９年１１月２５日に提出された米国仮出願番号第６１／２６４，３９６号の利益を主張し、その全体がここに引用により援用される。
【０００２】
発明の背景
１．技術分野
本発明は概して、細長い部材を保護するための織物スリーブに関し、特にスリーブを細長い部材の周りに巻付けられた形態に維持するために支持表面および閉鎖装置に取付けるための一体的な取付装置を有する巻付け可能な織物スリーブに関する。
【背景技術】
【０００３】
２．関連技術
ワイヤおよびワイヤハーネスを巻付け可能な保護織物スリーブに巻付けて、摩耗、流体、熱および電磁干渉作用に対する保護をワイヤに与えることが知られている。織物スリーブは、典型的に織られるか、編組まれるか、編まれるか、またはかぎ針編みされ、次いで製造中もしくは現場で所望の長さに切断される。さらに、開いた構造の巻付け可能なスリーブは、熱硬化可能なヤーンで少なくとも部分的に構成されることが知られており、それによりスリーブの壁を熱硬化させ、自動的に丸まるとも称される自動的に巻付く形態となり、縦方向に延在するスリーブの対向する縁が互いに重なり合い、保護されている細長い部材を完全に包囲する。さらに、スリーブの壁が細長い部材の周りに適切に巻付けられたままであることを確実にするために、閉鎖装置、たとえばスナップ、フックおよびループ締結具、接着テープ、ならびにレーシングテープを使用して、長手方向に延在するスリーブの自由縁を互いに重なり合った関係に保つことが知られている。航空宇宙用途では「ストリング」とも称されるレーシングテープが通常使用され、レーシングテープは一般にボビン上に設けられ、はさみで切断され、技術仕様内でスリーブを閉じるのに必要な長さを供給する。ストリングは典型的に、巻付けられたスリーブ壁の周囲に巻付けられ、その上にストリングの自由端が結束されて結び目を形成し、それによって壁を閉じられた形態に維持する。ストリングは、その所期の機能を果たすには有効であるが、スリーブとは別個の部品として設けられる場合は、別個のストリング部品の在庫を維持することを必要とする。さらに、別個のストリング部品は、適用中にストリングがスリーブの長さに沿って適切に離間されることを確実にするために、場合によっては一定の長さへの切出しと測定とを含むマニュアル操作を必要とする。
【０００４】
また、細長い部材の周りに巻付けられると、巻付け可能なスリーブは、スリーブが支持部材に対して移動するのを防ぐために特定用途の支持部材に取付けられる必要があることが多い。たとえば、支持部材は自動車または航空機のフレーム部材であり得る。非航空機用途においては、フレームは、たとえば別個のクリップによってスリーブをフレームに取付けることを容易にするために締結具穴を有して構成することができることが多い。しかし、航空機用途のためのフレーム構造の製造では、穴は典型的に好ましくなく、それによってフレームにスリーブを取付けることがより困難となっている。
【発明の概要】
【課題を解決するための手段】
【０００５】
発明の一局面は、細長い部材を引き回し、保護するための筒状の巻付け可能な織物スリーブを提供する。スリーブは、絡み合ったヤーンで作成される細長い壁を含む。壁は、スリーブの対向する端部間でスリーブの中心長手軸と平行に延在する対向する内縁および外縁を有する。壁は、内縁および外縁の間で延在する対向して面する内面および外面も有する。内縁と外側から重なり合う関係で外縁を中心長手軸の周りに巻付けると、内面が筒状のスリーブの内部空洞と境界を接する。さらに、細長い締結具が外縁に隣接して中心長手軸と平行に延在する。締結具は外面から外側に面し、外部の支持部材に取付けられるように構成される。
【０００６】
発明の別の局面によれば、締結具は、外縁に隣接してフックおよびループ締結具の一部分として設けられる。したがって、保護すべき細長い部材の周りに壁を巻付けると、フックおよびループ締結具の一部分は、たとえば自動車または航空機のフレームなどの支持部材上のフックおよびループ締結具の別の部分に取付けやすいように外側に面する。
【０００７】
発明の別の局面によれば、細長い部材を引き回し、保護するための筒状の巻付け可能なスリーブは、対向する端部間でスリーブの中心長手軸と平行に延在する対向する内縁および外縁を有する細長い壁を含む。壁は、内縁および外縁の間で延在する対向して面する内面および外面を有する。内縁と外側から重なり合う関係で外縁を中心長手軸の周りに巻付けると、内面が筒状のスリーブの内部空洞と境界を接する。細長い締結具が壁の外面に取付けられる。締結具は、中心長手軸と平行に延在し、外部の支持部材に取付けられるように外面から外側に面する。さらに、閉鎖装置が壁に一体的に取付けられる。閉鎖装置は、締結具に対して横切って延在し、それ自体に取付けられるように壁の周りに周方向に延在し、内縁および外縁を重なり合う関係に維持する。
【０００８】
したがって、発明は、保護すべき細長い部材の周りに巻付けられた形態で容易に維持することができる巻付け可能な織物スリーブを提供する。閉鎖装置はスリーブの壁に取付けられており、組立と壁を巻付けられた形態に維持することとの複雑さを低減し、かつ在庫の部品の数も減少させる。さらに、閉鎖装置を壁に取付けた状態において、閉鎖機構は互いに所定の関係であらかじめ離間され、組立の複雑さをさらに低減する。
【０００９】
図面の簡単な説明
発明のこれらおよび他の局面、特徴ならびに利点は、現在好ましい実施例および最良の形態についての以下の詳細な説明、添付の請求項、ならびに添付図面を検討すると、当業者にとって容易に明白となるであろう。
【図面の簡単な説明】
【００１０】
【図１】発明の一局面にしたがって構成された巻付け可能な織物スリーブの概略部分斜視図である。
【図２】スリーブが巻付けられていない形態で示されている、図１のスリーブの外面の概略平面図である。
【図３】支持部材に取付けられた図１のスリーブの概略端面図である。
【図４】発明の別の局面にしたがって構成された巻付け可能な織物スリーブの概略部分斜視図である。
【図５】スリーブが巻付けられていない形態で示されている、図４のスリーブの外面の概略平面図である。
【図６】発明のさらに別の局面にしたがって構成された巻付け可能な織物スリーブの概略部分斜視図である。
【図７】スリーブが巻付けられていない形態で示されている、図６のスリーブの外面の概略平面図である。
【発明を実施するための形態】
【００１１】
好ましい実施例の詳細な説明
図面をより詳細に参照して、図１は、発明の一局面にしたがって構成された、以下スリーブ１０と称される巻付け可能な織物スリーブの概略図を示す。スリーブ１０は、たとえばワイヤまたはワイヤハーネス１４などの細長い部材を引き回し、保護するための巻付け可能な細長い壁１２を有する。細長い壁１２は、自身に絡み合った少なくとも一本のヤーン１６または互いに絡み合った複数のヤーン１６から構成される。壁１２は、中心長手軸１８の周りに巻付けられ、丸まるとも称され、包囲された筒状の内部空洞２０をもたらす。空洞２０は、使用中などに細長い部材１４を容易に径方向に空洞２０内に配置することができ、逆に空洞２０から取出すことができるように、スリーブ１０の長手軸１８に沿って容易にアクセス可能である。壁１２を巻付けられた筒状の形態で細長い部材１４の周りに維持することを容易にするために、細長い閉鎖装置ストリング部材の形態で例として図１〜図３に表わされ、ここでは複数のストリング部材２２として表わされる少なくとも１つの閉鎖装置２２がスリーブ１０の作成中に壁１２に取付けられることが好ましい。ストリング部材２２は、壁１２の周りに周方向に巻付けることができ、その後ともに結束されるなどによって互いに取付けることができるように、中心長手軸１８を横切ってまたは実質的に横切って延在する。したがって、スリーブ１０は、壁１２に一体的に取付けられた少なくとも１つの閉鎖部材２２を有して作成され、スリーブ１０を細長い部材１４の周りに保護形態で維持するのに好都合な機構をもたらす。
【００１２】
長さ、巻付けられた「たばこ」となった後のスリーブの全直径に直接対応する幅、および壁厚を含むいずれかの好適な寸法を有して壁１２を作成することができる。壁１２は対向する内縁および外縁２４，２６を有し、対向して面する内面および外面２８，３０がそれぞれ縁部２４，２６の間で延在する。縁２４，２６は中心軸１８と平行にまたは実質的に平行に延在し、壁１２の対向する端部３２，３４で終端する。壁１２は、外部から加えられた力によって対向する縁２４，２６を互いにかつ中心軸１８に概ね平行な関係に維持しつつ後で巻付けることができる概ね平らな本体として作成することができるかまたは、所望であれば、自動的に巻付く本体として作成することができる。自動的に巻付く本体として作成される場合、横糸のうち少なくともいくらか、周方向に延在するヤーン１６が、熱硬化して中心軸１８の周りに丸まった形態を維持し、自動的に巻付く筒状の形態に壁１２をバイアスする熱硬化可能なヤーンとして設けられる。壁１２が、概ね外部から加えられる力がなく、自動巻付け筒状形態にあるとき、外側２６は内側２４を越えて延在して重なり合い、空洞２０を周方向に完全に包囲し、したがって壁１２は、壁１２の周囲全体の周りにおける外部要素に対する保護を、空洞２０に含まれるワイヤ１４に与える。側縁２４，２６は、所望であれば、少なくとも部分的に空洞２０を開いて露出させるために、外部から加えられる力を受けて容易に互いから離れて広げることが可能である。したがって、ワイヤ１４は、組立中に空洞２０内に配置するかまたは、使用中に空洞２０から取出すことが容易にできる。外部から加えられた力を解放すると、側縁２４および２６は、熱硬化ヤーン１６によって与えられるバイアスの下で、緩んだ重なり合う自動巻付け位置に自動的に戻る。
【００１３】
壁１２は、マルチフィラメントおよび／またはモノフィラメントヤーンで作成することができ、自動巻付け実施例のヤーン１６のうち少なくとも１本以上が熱硬化可能である。たとえば、ヤーン１６のうち１本以上は、たとえば硫化ポリフェニレン（ＰＰＳ）などの、摂氏約２００〜２２５度の温度で熱硬化することができる熱硬化可能なポリマー材料として設けることができる。壁１２を形成するヤーン１６は、所望であれば、織り、編み、かぎ針編み、編組などの多様な処理を使用して絡み合わせることができる。
【００１４】
織物の壁１２を形成した後、閉鎖部材２２がそれに一体的に取付けられる。細長い部材１４の周りに壁１２を巻付けるとそれぞれのストリング部材２２の対向する端部３６，３８がともに結束された状態でストリング部材２２が壁１２の周りに周方向に自由に巻付けられるように、外縁２６に隣接して取付けられるものとして示される閉鎖ストリング部材２２が壁１２に取付けられる。ストリング部材２２は、ここでは例として限定することなく２回として示されているが、ストリング部材２２が壁１２の周りに何回巻付けられるかに依存して、いずれかの所望の長さで提供することができる。
【００１５】
１つの好ましい実施例では、ストリング部材２２は、縫い付けられたヤーン４０によって壁１２の外面３０に取付けられる。また、ストリング部材２２は、生地４２と壁１２の外面３０との間に取込まれ縫い付けられるものとして表わされ、生地は、中心軸１８と平行にまたは実質的に平行に延在する細長い締結具４３をもたらし、締結具４３は、たとえばフックおよびループ型締結具のフックまたはループ部分４３の一方であるものとして表わされる。締結具４３は、生地４２に取付けられた別個の部品として設けることができるかまたは、生地を締結具４３として設けることができる。生地４２は、外縁２６に隣接して壁１２の対向する端部３２，３４の間で延在するものとして示され、外縁２６と同一平面にあるものとして示される。生地４２と、関連付けられた締結具４３とは、いずれかの好適な幅、たとえば約１／２〜１インチを有して設けることができる。しかし生地１２は、端部３２，３４の間全体よりも短く延在するものとして設けることができ、さらに、所望であれば、壁１２の長さに沿って互いに離間された別個のセグメントとして設けることができる。作成時、ストリング部材２２は好ましくは生地４２と壁１２との間に挟まれ、次いでその後、縫い付けられたヤーン４０によって生地４２およびストリング部材２２が壁１２に固定して取付けられる。所望であれば、ヤーン４０の縫い付けられた列の数を作製することができると認識されるべきであり、ここでは二列が示され、一列は生地４２の長手方向に延在する各縁に隣接して延在する。さらに、生地４２と壁１２との間に挟まれることによって維持力が高まり、生地４２の外面上で締結具４３と干渉することが回避されると考えられるものの、所望であれば、ストリング部材２２を生地４２の外面に縫い付けることもできると認識されるべきである。
【００１６】
生地４２をフックまたはループ部分の一方として設けた状態において、たとえば自動車または航空機のフレーム部材などの、構造４４（図３）とも称される支持部材にスリーブ１０を容易に取付けることができる。構造４４へのスリーブ１０の取付を容易にするために、フレーム部材の製造中またはその後にフレーム部材にあらかじめ組付けられるなどによって、フックまたはループ部分の他方４６が構造４４に取付けられる。したがって、スリーブ１０上の第１のフックまたはループ締結具４３を、フレーム部材４４上の第２のフックまたはループ締結具の他方４６と締結係合させることによってフレーム部材４４に開口部を形成することなく、迅速で経済的なやり方でスリーブ１０をフレーム部材４４に容易に取付けることができる。
【００１７】
図４および図５において、発明の別の局面にしたがって作成されたスリーブ１１０が例示され、同様の特徴を特定するために、１００の位を付した同じ参照符号が使用される。スリーブ１１０は、上述したのと同じく作成される壁１１２を有する。したがって、壁１１２は対向する内縁および外縁１２４，１２６をそれぞれ有し、対向して面する内面および外面１２８，１３０がそれぞれ縁１２４，１２６の間で延在する。縁１２４，１２６は中心軸１１８と平行にまたは実質的に平行に延在し、壁１１２の対向する端部１３２，１３４で終端する。
【００１８】
一対として示される少なくとも１つの閉鎖部材１２２は、縫い付けられたヤーン１４０などにより壁１１２の外面１３０に取付けられる。閉鎖部材１２２は、細長い可撓性のストラップ１２２として設けられる。ストラップ１２２は対向する端部１３６，１３８の間で延在し、端部１３６の一方は外縁１２６に隣接して取付けられるものとして示される。対向する端部１３６，１３８の間の位置に取付けられるなどによってストラップ１２２は別のものとすることができ、それによって対向する端部１３６，１３８を外側１２６から離れて横方向に延在させることができることが認識されるべきである。また、端部１３６は、細長い締結具１４３と壁１１２の外面１３０との間に取込まれ縫い付けられるものとして表わされ、締結具１４３は、たとえばフックおよびループ型締結具のフックまたはループ部分１４３の一方として表わされる。ストラップ１２２は対向する内面および外面１２８′，１３０′を有し、内面１２８′を示すために左側のストラップ１２２がねじられている図５に最も良く示されるように、内面１２８′は本質的に壁１１２の内面１２８の延長部分であり、外面１３０′は本質的に壁１１２の外面１３０の延長部分である。内面１２８′は、自由端１３８に隣接して示される第１のフック部分（ｈｐ）またはループ部分（ｌｐ）の一方を有する。外面１３０′は、固定端１３６に隣接して示される第１のループ部分（ｌｐ）またはフック部分（ｈｐ）の一方を有し、各ストラップ１２２のそれぞれの第１のフック部分（ｈｐ）および第１のループ部分（ｌｐ）は、ストラップ１２２が壁１１２の周りに周方向に巻付けられると互いに取付けられるように構成される。したがって、内面１２８′にフック部分（ｈｐ）が設けられる場合は外面１３０にループ部分（ｌｐ）が設けられ、逆の場合も同様である。図示されるように、第１のフック部分（ｈｐ）は内面１２８′全体にわたって延在し、第１のループ部分（ｌｐ）は外面１３０′全体にわたって延在する。そのため、それぞれの端部１３６，１３８が互いに重なり合って当接されると、それぞれのループ部分（ｌｐ）およびフック部分（ｈｐ）が互いに締結される。
【００１９】
各閉鎖装置１２２は、その外面１３０上に第２のフック部分（ｈｐ′）または第２のループ部分（ｌｐ′）を有するものとして示され、第２のフック部分（ｈｐ′）または第２のループ部分（ｌｐ′）は、支持部材４４上でそれぞれのフック部分（ｈｐ）またはループ部分（ｌｐ）の他方に取付けられるように構成される（図３参照）。そのため、壁１１２の周りにストラップ１２２を巻付け、第１のフック部分および第１のループ部分（ｈｐ），（ｌｐ）それぞれを互いに締結すると、第２のフック部分（ｈｐ′）または第２のループ部分（ｌｐ′）は、支持部材４４への取付のために外側に面するように自動的に構成される。また、図示されるように、第２のフック部分（ｈｐ′）または第２のループ部分（ｌｐ′）は、中心軸１１８と平行にまたは実質的に平行に延在する細長い締結具１４３上に重なり合うように構成することができ、締結具１４３は、締結具４３について上述したように、たとえばフックおよびループ型締結具のフックまたはループ部分１４３の一方であるものとして表わされる。したがって、ストラップ１２２の対応するフック部分（ｈｐ′）またはループ部分（ｌｐ′）が締結具１４３と位置合わせされた状態でストラップ１２２が締結具１４３の一部分上に巻付くと、支持部材４４への取付のために、所望であればフックまたはループ部分のうちの一方がスリーブ１１０の全長に設けられる。そうでなければ、ストラップが同じフープまたはループ部分（ｈｐ′），（ｌｐ′）を含まない場合、それと重なり合う関係でストラップ１２２を有する締結具１４３の部分は、支持部材４４への取付のための起点をもたらさないことになる。
【００２０】
図６および図７では、発明の別の局面にしたがって作成されたスリーブ２１０が例示され、同様の特徴を特定するために、２００の位を付した同じ参照符号が使用される。スリーブ２１０は、壁１２について上述したのと同じく作成される壁２１２を有する。したがって、壁２１２は対向する内縁および外縁２２４，２２６をそれぞれ有し、対向して面する内面および外面２２８，２３０がそれぞれ縁２２４，２２６の間で延在する。縁２２４，２２６は中心軸２１８と平行にまたは実質的に平行に延在し、壁２１２の対向する端部２３２，２３４で終端する。
【００２１】
一対として示される少なくとも１つの閉鎖部材２２２は、縫い付けられたヤーン２４０などにより壁２１２の外面２３０に取付けられる。閉鎖部材２２２は細長い可撓性のストラップとして設けられ、ここではタイラップ（tie wrap）２２２として示される。タイラップ２２２は対向する端部２３６，２３８の間で延在し、端部の一方２３８は締結端子４８を有し、対向する端部２３６は締結端子４８内に固定して収容されるように構成される締結歯５０を有する。タイラップ２２２は、細長い締結具２４３と壁２１２の外面２３０との間に取込まれ綴じられるものとして表わされ、締結具２４３は、例として上述したように、フックおよびループ型締結具のフックまたはループ部分２４３の一方であるとして表わされる。端部２３６，２３８は、保護すべき細長い部材１４の周りに壁２１２を巻付けると互いに取付られるように、壁２１２の側縁２２４，２２６から外側に横方向に延在するものとして示される。タイラップ２２２が締結具２４３の下方に延在する結果、支持部材４４上の締結具４６に取付けられるように締結具２４３の全長が露出される。
【００２２】
上記の教示に鑑みて、本発明の多くの修正および変更が可能であることが明らかである。したがって、添付の請求項の範囲内において、具体的に記載した以外の方法で発明は実施され得ると理解されるべきである。
【図１】
0005623542.tif 000002
【図２】
0005623542.tif 000003
【図３】
0005623542.tif 000004
【図４】
0005623542.tif 000005
【図５】
0005623542.tif 000006
【図６】
0005623542.tif 000007
【図７】
0005623542.tif 000008